(57)【要約】【課題】簡単な構成で容易に且つ確実に固着強度を向上させ、小型化を図ることができる表面実装コネクタおよびその表面実装方法を提供する。【解決手段】  本発明の表面実装コネクタは、基板３の表面に実装される一方のコネクタ２と、この一方のコネクタ２に接続される他方のコネクタ１と、からなるもので、他方のコネクタ１に、一方のコネクタ２と接続したときに基板３に一方のコネクタ２を保持する保持部５が設けられている。基板３の表面に実装された一方のコネクタ２と他方のコネクタ１とを接続すると、一方のコネクタ２は、他方のコネクタ１に設けられた保持部５により、基板３に保持される。【選択図】図２
2007165015.tif 000002
【特許請求の範囲】
【請求項１】
基板の表面に実装される一方のコネクタと、
該一方のコネクタと対応して接続される他方のコネクタと、からなり、
前記他方のコネクタが、前記一方のコネクタと接続したときに、前記一方のコネクタを前記基板に保持する保持部を有することを特徴とする表面実装コネクタ。
【請求項２】
基板の表面に実装される一方のコネクタと、
該一方のコネクタと対応して接続される他方のコネクタと、からなる表面実装コネクタの表面実装方法であって、
前記他方のコネクタに、前記一方のコネクタと接続したときに、前記一方のコネクタを前記基板に保持する保持部を設け、
前記基板の表面に実装された前記一方のコネクタと前記他方のコネクタとを接続して、前記他方のコネクタの保持部により前記一方のコネクタを前記基板に保持することを特徴とする表面実装コネクタの表面実装方法。
【発明の詳細な説明】
【技術分野】
【０００１】
本発明は、表面実装コネクタおよびその表面実装方法に関し、特に、基板の表面に実装される一方のコネクタと、この一方のコネクタと対応して接続される他方のコネクタと、からなる表面実装コネクタおよびその表面実装方法に関するものである。
【背景技術】
【０００２】
図１７に示すように、コネクタは一般に、メス側コネクタ１００とオス側コネクタ２００の一対で接続し得るように互いに対応するよう構成されている。そして、表面実装コネクタは、回路などが形成された基板３の一方の面の端縁近傍に一方のコネクタ（仮にオス側コネクタ２００とする）を実装し、このオス側コネクタ２００に対して他方のコネクタ（メス側コネクタ１００とする）を接続するよう構成されている。オス側コネクタ２００の開口２０の内部には、背面から延びるリード線２００ａと連続するピン２００ｂが複数突き出るよう設けられており、メス側コネクタ１００の挿入部１１０には、オス側コネクタ２００の開口２０に差し込まれたときにピン２００ｂＧ差し込まれて接続される端子１００ｂが対応して設けられている。端子１００ｂは、メス側コネクタ１００の背面から延ばされた導線１００ａと接続されている。従来の表面実装コネクタは、オス側コネクタ（一方のコネクタ）２００が基板３に対して所謂ペグ４のみにより固定されていた。図１６および図１７に示したように、ペグ４は、Ｌ字形に屈曲されてコネクタ固着部４ａと基板固着部４ｂとが形成されてなるもので、コネクタ固着部４ａは、オス側コネクタ２００の側面に対して固定され、また、基板固着部４ｂは、基板３に対してリフロー半田付けによって固定されていた（例えば、特許文献１、２を参照）。
【０００３】
特許文献１には、ハウジングから延びる端子を基板上のランドに半田付けすることにより、上記端子と上記ランドとの電気的接続を行うコネクタの実装構造であって、上記ハウジングと上記基板との間に介在され、ハウジングを基板上に浮かせた状態で支持する第一の溶融半田と、上記端子と上記ランドとの間に介在され、この支持されたハウジングを、その表面張力の作用によって端子がランド中心にくるように位置決めする第二の溶融半田と、この位置決めされたハウジングを、上記第一及び第二の溶融半田を冷却によりそれぞれ固化させた状態で、上記基板上に機械的に固定する固定手段とを備えたことなどを特徴とするコネクタの実装構造が開示されている。
また、特許文献１には、ハウジングから延びる端子を基板上のランドに半田付けすることにより、上記端子と上記基板との電気的接続を行うコネクタの実装方法であって、上記ハウジングを、このハウジングと上記基板との間に介在させた第一の溶融半田により該基板上に浮かせた状態で支持する第一のステップと、この支持されたハウジングを、上記端子と上記ランドとの間に介在させた第二の溶融半田の表面張力の作用によって端子がランド中心にくるように位置決めする第二のステップと、この位置決めされたハウジングを、上記第一及び第二の溶融半田を冷却によりそれぞれ固化させた状態で、上記基板上に機械的に固定する第三のステップとを備えたことを特徴とするコネクタの実装方法が開示されている。
そして、特許文献１のコネクタの実装構造における固定手段として、また、コネクタの実装方法においてハウジングを基板上に機械的に固定するための方法として、ハウジングの基板取付部（上記ペグ４の基板固着部４ｂに相当する）のネジ穴にネジを螺合する（ネジ留めする）ことなどが記載されている。
【０００４】
特許文献２には、所定本のコンタクト金具と、このコンタクト金具が挿着されるスリット状の挿着部が並設されてなる本体部と、を備え、前記本体部の左右の両側端部に、それぞれ二個づつ、実装基板にはんだ付けされる底面部を有した板金製のウイング部材が相互に離間せしめられた状態で取り付けられていることを特徴とする電気コネクタが開示されている。
また、特許文献２には、所定本のコンタクト金具と、このコンタクト金具が挿着されるスリット状の挿着部が並設されてなる本体部と、を備え、前記本体部の左右の両側端部に、実装基板にはんだ付けされる底面部が二分割されてそれらの間に隙間が形成されている板金製のウイング部材が取り付けられていることを特徴とする電気コネクタが開示されている。
すなわち、特許文献２においては、電気コネクタの本体部に板金製のウイング部材（上記ペグ４に相当する）が取り付けられており、このウイング部材の底面部（上記基板固着部４ｂに相当する）が実装基板に半田付けされることが記載されている。
【０００５】
【特許文献１】特開２００４−２０６９２４号公報
【特許文献２】特開平８‐４５５７９号公報
【発明の開示】
【発明が解決しようとする課題】
【０００６】
しかしながら、上記従来の技術のうち、特許文献１のようにハウジングの基板取付部をネジ留めする場合にあっては、ネジを作成するための製造コストがかかり、また、ネジを締め付けるための工程が必要となって設備費や加工費がかかるなどの問題があった。さらに、ハウジングの基板取付部をネジ留めする場合にあっては、基板取付部と基板のネジ穴がずれているとネジ留めできなくなることからネジ孔の位置精度が要求されるが、実装ズレ、セルフアライメントズレ等によりネジ穴位置が合わない可能性があるという問題があった。そして、特許文献１にあっては、ハウジングの基板取付部にネジを螺合することから、コネクタにネジ留めする部分が必要となり、コネクタの小型化を図ることが困難となるという問題もあった。かかる問題は、図１６および図１７に示したペグ４を基板３にネジ留めのみによって固定する場合も同様である。
また、上記従来の技術のうち、特許文献２のように、一方のコネクタ２００に固着されたペグ４の基板固着部４ｂを基板３に対して半田付けするだけの場合にあっては、半田が時間経過に伴って劣化し、基板３に対する一方のコネクタ２００の固着強度が低下することとなる。特に、図１８に鎖線で示すように、他方のコネクタ１００の導線１００ａが上方に引っ張られるなどした場合には、基板３に対して剥離する方向の強度が低下するという問題があった。そして、ペグ４の基板固着部４ｂを基板３に対して半田付けする場合にあっては、基板３に対する一方のコネクタ２００の固着強度を向上させるために、半田付けする基板固着部４ｂの面積を増加させる必要があることから、ペグ４が大型化して少なくとも一方のコネクタ２００が、ひいては他方のコネクタ１００も小型化を図ることが困難となるという問題もあった。
【０００７】
本発明は、上述した問題に鑑みてなされたもので、簡単な構成で容易に且つ確実に固着強度、特に一方のコネクタの、実装された基板に対する剥離方向の強度を向上させることができるとともに、小型化を図ることができる表面実装コネクタおよびその表面実装方法を提供することを目的とする。
【課題を解決するための手段】
【０００８】
請求項１の表面実装コネクタに係る発明は、上記目的を達成するため、基板の表面に実装される一方のコネクタと、該一方のコネクタと対応して接続される他方のコネクタと、からなり、前記他方のコネクタが、前記一方のコネクタと接続したときに、前記一方のコネクタを前記基板に保持する保持部を有することを特徴とするものである。
請求項２の表面実装コネクタの表面実装方法に係る発明は、上記目的を達成するため、基板の表面に実装される一方のコネクタと、該一方のコネクタと対応して接続される他方のコネクタと、からなる表面実装コネクタの表面実装方法であって、前記他方のコネクタに、前記一方のコネクタと接続したときに、前記一方のコネクタを前記基板に保持する保持部を設け、前記基板の表面に実装された前記一方のコネクタと前記他方のコネクタとを接続して、前記他方のコネクタの保持部により前記一方のコネクタを前記基板に保持することを特徴とするものである。
【０００９】
請求項１の発明では、基板の表面に固着され実装された一方のコネクタに対して他方のコネクタを接続すると、他方のコネクタに設けられた保持部により、一方のコネクタが基板に容易に且つ確実に保持される。そのため、基板に実装された一方のコネクタの固着強度、特に剥離する方向の強度が向上する。ペグを併用して一方のコネクタを基板に実装する場合であっても、ペグによる基板に対する一方のコネクタの大きな固着強度を必要としないため、ペグの小型化が、ひいては両コネクタの小型化が図られる。なお、他方のコネクタの保持部が一方のコネクタを保持する基板とは、その基板がケースに支持されている場合には、ケースも含まれる。
請求項２の発明では、他方のコネクタに、一方のコネクタと接続したときに、一方のコネクタを基板に保持する保持部を設け、基板の表面に実装された一方のコネクタと他方のコネクタとを接続すると、他方のコネクタに設けられた保持部が基板に一方のコネクタを容易に且つ確実に保持する。そのため、基板に実装された一方のコネクタの固着強度、特に剥離方向の強度が向上する。ペグを併用して一方のコネクタを基板に実装する場合であっても、ペグによる基板に対する一方のコネクタの大きな固着強度を必要としないため、ペグの小型化がひいては両コネクタの小型化が図られる。なお、他方のコネクタの保持部が保持される基板とは、その基板がケースに支持されている場合には、ケースも含まれる。
【発明の効果】
【００１０】
請求項１の発明によれば、他方のコネクタが、前記一方のコネクタと接続したときに、前記一方のコネクタを前記基板に保持する保持部を有するという簡単な構成で、容易に且つ確実に固着強度、特に一方のコネクタの基板に対する剥離方向の強度を向上させることが可能であるとともに、小型化を図ることが可能な表面実装コネクタを提供することができる。
請求項２の発明によれば、他方のコネクタに、一方のコネクタと接続したときに、一方のコネクタを基板に保持する保持部を設け、基板の表面に実装された一方のコネクタと他方のコネクタとを接続して、他方のコネクタの保持部により一方のコネクタを基板に保持するという簡単な構成で、容易に且つ確実に固着強度、特に一方のコネクタの基板に対する剥離方向の強度を向上させることが可能であるとともに、小型化を図ることが可能な表面実装コネクタの表面実装方法を提供することができる。
【発明を実施するための最良の形態】
【００１１】
最初に、本発明の表面実装コネクタの様々な実施の形態を図１〜図１５に基いて詳細に説明する。なお、同一符号は同一部分または相当部分を示すものとする。
本発明の表面実装コネクタは、概略、基板３の表面に実装される一方のコネクタ２と、この一方のコネクタ２に接続される他方のコネクタ１と、からなるもので、他方のコネクタ１に、一方のコネクタ２と接続したときに、基板３に一方のコネクタ２を保持する保持部５が設けられている。
【００１２】
図１および図２は、本発明の第１の実施の形態を示したもので、表面実装コネクタは、メス側コネクタ１とオス側コネクタ２との一対で構成されている。この実施の形態では、基板３の表面に実装される一方のコネクタをオス側コネクタ２とし、このオス側コネクタ２に対して差し込むようにして接続させる他方のコネクタをメス側コネクタ１として説明する。
【００１３】
基板３は、例えば略矩形に成形されてなるもので、所定のパターンで回路を形成すべくプリント配線されており、回路の端子３ａが基板３の一方の面のオス側コネクタ２実装される近傍に露出されている。
【００１４】
この実施の形態におけるオス側コネクタ２は、その両側面にペグ４のコネクタ固着部４ａが固定されており、基板３の一端縁近傍に配置され、ペグ４の基板固着部４ｂが基板３に対して半田付けなどにより基板３の表面から僅かに浮いた状態で固着されている。なお、オス側コネクタ２は、ペグ４を用いることなく、基板３に対して直接接着剤などにより固着することもできる。
【００１５】
オス側コネクタ２の前面（図１、２における右方）には、メス側コネクタ１を差し込むための開口２０が形成されており、その内部には、メス側コネクタ１を差し込んだときにその差込部（後述する）１０の端子に差し込まれるピン２ｂが複数突き出ている。各ピン２ｂは、オス側コネクタ２の背面（図１、２における左方）から延びるリード線２ａとそれぞれ連続している。各リード線２ａは基板３の表面に露出された所定の端子３ａにそれぞれ半田付けされ実装されている。
【００１６】
メス側コネクタ１は、差込部（図１、２の左方）１０がオス側コネクタ２の開口２０に挿入し得る形状に形成されたもので、その内部には、オス側コネクタ２に差し込まれたときにオス側コネクタ２の各ピン２ｂが差し込まれることにより接続される端子１ｂが対応して複数設けられている。端子１ｂには、メス側コネクタ１の基部１１の背面（図１、２における右方）から延ばされた導線１ａと接続されている。そして、メス側コネクタ１の、差込部１０をオス側コネクタ２の開口２０に差し込んだときにオス側コネクタ２の前面から出る基部１１には、保持部５が設けられている。
【００１７】
保持部５は、メス側コネクタ１の基部１１から基板３の厚さ方向に延びる垂直部分５０と、この垂直部分５０から基板３の表面と平行に延びる平行部分５１とが一体に成形されてなるもので、メス側コネクタ１の差込部１０と保持部５の平行部分５１との間の間隔Ｌは、メス側コネクタ１の差込部１０をオス側コネクタ２の開口２０に差し込んだときに、基板３のオス側コネクタ２が実装された表面とは反対側の表面に保持部５の平行部分５１が接して、メス側コネクタ１の差込部１０との間でオス側コネクタ２の基板側壁部２１と基板３を挟み込むようにして保持し得る間隔に設定されている。なお、保持部５は、メス側コネクタ１と一体に成形したものとすることもでき、また、メス側コネクタ１と別体で成形したものをメス側コネクタ１の基部１１に固着したものとすることもできる。
【００１８】
次に、本発明の表面実装コネクタの表面実装方法の実施の一形態を、上述したように構成された表面実装コネクタを用いる場合によって詳細に説明する。
本発明の表面実装コネクタの表面実装方法は、概略、基板３の表面に実装される一方のコネクタ２と、この一方のコネクタ２と対応して接続される他方のコネクタ１と、からなる表面実装コネクタの表面実装方法であって、他方のコネクタ１に、一方のコネクタ２と接続したときに基板３に一方のコネクタ２を保持する保持部５を設けて、基板３の表面に実装された一方のコネクタ２と他方のコネクタ１とを接続して、他方のコネクタ１に設けられた保持部５により一方のコネクタ２と接続された他方のコネクタ１を基板３に保持するものである。
なお、この実施の形態においても、基板３の表面に実装される一方のコネクタをオス側コネクタ２とし、このオス側コネクタ２に対して差し込むようにして接続させる他方のコネクタをメス側コネクタ１として説明する。
【００１９】
基板３にコネクタを実装するに先だって、上述したように、メス側コネクタ１に、オス側コネクタ２と接続したときにその基板側壁部２１と基板３を差込部１０との間で挟み込むようにして保持する保持部５を設ける。また、ペグ４のコネクタ固着部４ａをオス側コネクタ２の両側部に固定し、ペグ４の基板固着部４ｂを基板３に半田付けするなどして、オス側コネクタ２を基板３に固定し、オス側コネクタ２の各リード線２ａを基板３の表面に露出している所定の端子３ａにそれぞれ半田付けして実装する。
【００２０】
そして、基板３に実装されたオス側コネクタ２の開口部２０にメス側コネクタ１の差込部１０を差し込む。すると、メス側コネクタ１の基部１１に設けられた保持部３の平行部分５１が基板３のオス側コネクタ２が実装された表面とは反対側の表面に接し、メス側コネクタ１の差込部１０と保持部３の平行部分５１とがオス側コネクタ２の基板側壁部２１と基板３を挟み込むようになり、基板３に対して実装されたオス側コネクタ２が基板３から剥離しないように保持されることとなる。また、メス側コネクタ１がさらにオス側コネクタ２に向かって移動する（差し込まれる）ような力を受けた場合であっても、保持部５の垂直部分５０が基板３の端面に当接してメス側コネクタ１のオス側コネクタ２に向かう移動を阻止するため、ペグ４によって基板３に固定されたオス側コネクタ４に無理な力が加わることがない。
【００２１】
次に、本発明の異なる実施の形態を説明する。なお、以下の実施の形態の説明においては、同様または相当する部分については同じ符号を付してその説明を省略し、異なる部分のみ説明することとする。
図３は、本発明の第２の実施の形態を示したものである。上述した第１の実施の形態では、メス側コネクタの基端部の一方の面のみに保持部５を形成していたのに対して、図３に示した第２の実施の形態では、メス側コネクタ１の基部１１の反対側の面にも保持部５Ａを形成している。したがって、基板３に実装されたオス側コネクタ２に対して、メス側コネクタ１を差し込むようにして接続すると、基部１１の一方の面に設けられた保持部５は、上述した第１の実施の形態と同様にオス側コネクタ２の基板側壁部２１と基板３を挟み込むようにしてオス側コネクタ２を基板３に保持し、また、反対側の面に設けられた保持部５Ａは、メス側コネクタ１の差込部１０との間でオス側コネクタ２の反基板側壁部２２を挟み込み、且つ、保持部５との間でオス側コネクタ２と基板３とを挟むようにして保持する。すなわち、基板３とこれに実装されたオス側コネクタ２を両保持部５、５Ａが挟み込んでいるため、基板３に実装されたオス側コネクタ２とこれに接続されたメス側コネクタ１とが基板３から剥離しないように確実に保持されることとなる。
【００２２】
図４は、本発明の第３の実施の形態を示したものである。図４に示した第３の実施の形態における保持部５Ｂは、メス側コネクタ１の基端部１１の全周にわたって、差込部１０を取り囲むように形成されている。
そして、この実施の形態における基板３は、図５に示すように、オス側コネクタ２が配置された両側部には、メス側コネクタ１の保持部５Ｂの両側部を差し込むことが可能な切込み３ｂ、３ｂが形成されている。
また、この実施の形態における基板３のオス側コネクタ２を配置する部分３ｃは、図６に示すように、保持部５Ｂ内に収容し得るよう突出させて形成することもできる。
【００２３】
図７は、本発明の第４の実施の形態を示したもので、基板３がケース６に支持されており、メス側コネクタ１に設けられた保持部５’は、基板３を支持しているケース６を挟み込むようにして保持するよう構成されている。すなわち、本発明には、一方のコネクタ２を基板３に直接保持部５が保持する場合だけでなく、一方のコネクタ２をケース６などに支持された基板３に間接的に保持部５’が保持する場合も含まれる。
【００２４】
図８は、本発明の第５の実施の形態を示したもので、基板３がケース６に支持されており、メス側コネクタ１には、基板３を支持しているケース６を両面から挟み込むようにして保持するよう構成された保持部５’、５Ａ’が設けられている。したがって、基板３にオス側コネクタ２を実装して、基板３をケース６に支持した状態で、オス側コネクタ２に対して、メス側コネクタ１を差し込むようにして接続すると、上述した第２の実施の形態と同様に、基部１１の一方の面に設けられた保持部５’がケース６の下面に接するとともに保持部５Ａ’がケース６の上面に接して、両保持部５’、５Ａ’の間でケース６が挟み込まれる。そして、メス側コネクタ１と接続されたオス側コネクタ２は、ケース６に支持された基板３に間接的に保持されることとなる。そのため、基板３に実装されメス側コネクタ１と接続されたオス側コネクタ２は、基板３から剥離しないように確実に保持されることとなる。
【００２５】
図９は、本発明の第６の実施の形態を示したものである。図９に示した第６の実施の形態における保持部５Ｂ’は、上述した第３の実施の形態と同様に、メス側コネクタ１の基端部１１の全周にわたって、差込部１０を取り囲むように形成されている。
そして、この実施の形態における基板３とケース６は、図１０に示すように、オス側コネクタ２が配置された両側部と対応する位置には、メス側コネクタ１の保持部５Ｂ’の両側部を差し込むことが可能な切込み３ｂ、３ｂ、および６ｂ、６ｂが形成されている。
また、図１１に示すように、この実施の形態における基板３のオス側コネクタ２を配置する部分３ｃを突出させるように形成し、この基板３の突出した部分３ｃの周囲を取り囲むようにケース６に突出させた部分６ｃを成形すると共に、このケース６の突出させた部分６ｃに嵌合し得るように保持部５Ｂ’を成形することもできる。
【００２６】
図１２は、本発明の第７の実施の形態を示したものである。保持部５の平行部分５１の基板３と接する面には、滑り止め部材７が設けられている。滑り止め部材７は、例えば、ゴムなどの摩擦係数が大きい素材を用い、また、断面三角形状に成形された複数の突条をその長手方向がメス側コネクタ１の差し込む方向と略直交するように配列した形状などとすることができる。平行部分５１に滑り止め部材７が設けられていることにより、保持部５が設けられたメス側コネクタ１は基板３に実装されたオス側コネクタ２から容易に抜けることが防止される。なお、滑り止め部材７は、メス側コネクタ１の基部１１の一方の面のみに設けられた保持部５に限定されることなく、上述した実施の形態における保持部５Ａ、５Ｂ、５Ａ’５Ｂ’のいずれにも設けることができ、また、基板３あるいはケース６の側にも設けることができる。
【００２７】
図１３は、本発明の第８の実施の形態を示したものである。保持部５の平行部分５１の基板３と接する面には、凸部８ａが設けられており、また、基板３には凸部８ａが嵌合し得る孔または凹部８ｂが形成されている。メス側コネクタ１をオス側コネクタ２に差し込むと、平行部分５１の凸部８ａが基板の孔または凹部８ｂに嵌合するため、保持部５が設けられたメス側コネクタ１は基板３に実装されたオス側コネクタ２から容易に抜けることが防止される。なお、凸部８ａは、メス側コネクタ１の基部１１の一方の面のみに設けられた保持部５に限定されることなく、上述した実施の形態における保持部５Ａ、５Ｂ、５Ａ’５Ｂ’のいずれにも設けることができ、また、凸部８ａを受ける孔または凹部８ｂはケース６の側にも設けることができる。さらに、凸部８ａを基板３またはケース６に設けて、この凸部８ａを受けるための孔または凹部８ｂを保持部５、５Ａ、５Ｂ、５Ａ’５Ｂ’などに設けることもできる。
【００２８】
図１４および図１５は、本発明の第９の実施の形態を示したものである。保持部５の平行部分５１の基板３と接する面には、接点９ａが設けられており、また、メス側コネクタ１がオス側コネクタに正しく接続された状態のとき（図１４）に接点９ａと対応して接する接点９ｂが基板３に設けられている。そして、両接点９ａ、９ｂは、互いに接して電気的に導通した状態のときに（図１４）は、オス側コネクタ２に対してメス側コネクタ１が正しく嵌合されている正常状態と判断し、互いが離間して電気的に導通していない状態のときに（図１５）は、オス側コネクタ２からメス側コネクタ１が半嵌合、抜け、あるいはオス側コネクタ２が基板３から剥離した状態と判断するコネクタ抜け検出機構に接続される。
【００２９】
なお、本発明は、上述した実施の形態に限定されることなく、例えば、基板３の表面に実装される一方のコネクタをメス側コネクタ１とし、このメス側コネクタ１に対して差し込まれるようにして接続させる他方のコネクタをオス側コネクタ２として、この他方のコネクタであるオス側コネクタ２に保持部５を設けて、オス側コネクタ２を一方のコネクタであるメス側コネクタ１と接続したときに、保持部５がメス側コネクタ１を基板３に保持するよう構成することもできる。
【００３０】
本発明では、他方のコネクタ１に保持部５を設けて、一方のコネクタ２に接続することにより、基板３に対して直接的または間接的に一方のコネクタ２を保持させるよう構成したため、特に他方のコネクタ１の導線１ａが図２などの側面図において上方に引っ張られるなどして基板３から引き離されるような力が一方のコネクタ２に加わった場合であっても、基板３から一方のコネクタ２が剥離することが防止され、一方のコネクタ２の基板３に対する固着強度が向上する。そのため、一方のコネクタ２を基板３に実装するためのペグ４を小型化することができる。
【図面の簡単な説明】
【００３１】
【図１】本発明の表面実装コネクタの第１の実施の形態を説明するために示した側面図である。
【図２】図１に示した表面実装コネクタのメス側コネクタを基板に実装されたオス側コネクタに差し込んで接続し、保持部が基板に直接係合された状態を説明するための側面図である。
【図３】本発明の表面実装コネクタの第２の実施の形態を説明するために示した側面図である。
【図４】本発明の表面実装コネクタの第３の実施の形態を説明するために示した側面図である。
【図５】図４のメス型コネクタと接続されるオス側コネクタを実装するための基板の形状を説明するために示した平面図である。
【図６】図４のメス型コネクタと接続されるオス側コネクタを実装するための基板の別の形状を説明するために示した平面図である。
【図７】ケースに支持された基板を間接的に保持部を係合した本発明の第４の実施の形態を説明するために示した一部断面図である。
【図８】メス側コネクタの両側に保持部を設けて、ケースに支持された基板を間接的に両面から挟み込むようにして係合するよう構成した本発明の第５の実施の形態を説明するために示した一部断面図である。
【図９】メス側コネクタの基端部の全周にわたって差込部を取り囲むように保持部を形成した本発明の第６の実施の形態を説明するために示した一部断面図である。
【図１０】図９のメス型コネクタと接続されるオス側コネクタを実装するための基板およびケースの形状を説明するために示した平面図である。
【図１１】図９のメス型コネクタと接続されるオス側コネクタを実装するための基板およびケースの別の形状を説明するために示した平面図である。
【図１２】本発明の表面実装コネクタの第７の実施の形態を説明するために示した側面図である。
【図１３】本発明の表面実装コネクタの第８の実施の形態を説明するために示した側面図である。
【図１４】本発明の表面実装コネクタの第９の実施の形態を説明するために示した側面図である。
【図１５】図１４に示したオス側コネクタからメス側コネクタが抜けて、接点が電気的に導通しなくなった状態を説明するために示した側面図である。
【図１６】従来の一般的なペグによって基板に固定されたオス側コネクタの斜視図である。
【図１７】従来の一般的な表面実装コネクタを説明するために示した側面図である。
【図１８】実装されたコネクタが基板の表面から剥離するように力を受けた場合を説明するために示した側面図である。
【符号の説明】
【００３２】
１：メス側コネクタ（他方のコネクタ）、  ２：オス側コネクタ（一方のコネクタ）、  ３：基板、  ４：ペグ、５：保持部、６：ケース、  ７：滑り止め部材、  ８ａ：凸部、  ８ｂ：孔または凹部、  ９ａ、９ｂ：接点
【図１】
2007165015.tif 000003
【図２】
2007165015.tif 000004
【図３】
2007165015.tif 000005
【図４】
2007165015.tif 000006
【図５】
2007165015.tif 000007
【図６】
2007165015.tif 000008
【図７】
2007165015.tif 000009
【図８】
2007165015.tif 000010
【図９】
2007165015.tif 000011
【図１０】
2007165015.tif 000012
【図１１】
2007165015.tif 000013
【図１２】
2007165015.tif 000014
【図１３】
2007165015.tif 000015
【図１４】
2007165015.tif 000016
【図１５】
2007165015.tif 000017
【図１６】
2007165015.tif 000018
【図１７】
2007165015.tif 000019
【図１８】
2007165015.tif 000020